(57)【要約】【課題】出隅コーナ部に位置して、「縦張り形式」の庇構成体と連続するコーナ庇構成体の構築を可能にする。【解決手段】出隅コーナ部(C)に沿って固設されるコーナ支持部材(6b,6b)に固着された状態で該出隅コーナ部が向かう屋外方向に延びるアーム部材(10)と、庇構成体(P)の端部に位置する庇パネル(1E)と前記アーム部材(10)の間に介装されるコーナ庇パネルユニット(11)を備えている。コーナ庇パネルユニット(11)は、前記庇パネル(1)と平行に配置されるコーナ庇パネル(2)により構成され、前記アーム部材(10)に沿う斜辺部(2a)を有するほぼ直角三角形に形成されている。コーナ庇パネルユニット(11)の斜辺部(2a)が前記アーム部材(10)に固着され、該コーナ庇パネルユニット(11)の先端と前記庇パネル(1)の先端が連結部材(12)により連結される。これにより、コーナ庇パネル(2)の荷重がアーム部材(10)と庇パネル(1)に支持される。【選択図】図１９
2010261208.tif 000002
【特許請求の範囲】
【請求項１】
建物の外壁(H)から屋外方向に延びると共に該外壁の横方向に列設される複数の庇パネル(1)により構成される庇構成体(P)に対して、外壁の出隅コーナ部(C)に位置して前記庇構成体に連続して設けられるコーナ庇構成体(PC)であり、
出隅コーナ部に沿って固設されるコーナ支持部材(6b,6b)と、該コーナ支持部材に固着された状態で出隅コーナ部が向かう屋外方向に延びるアーム部材(10)と、前記庇構成体(P)の端部に位置する庇パネル(1E)と前記アーム部材(10)の間に介装されるコーナ庇パネルユニット(11)を備え、該コーナ庇パネルユニット(11)は、前記庇パネル(1)と平行に配置されるコーナ庇パネル(2)により構成されると共に、前記アーム部材(10)に沿う斜辺部(2a)を有するほぼ直角三角形に形成されており、
前記コーナ庇パネルユニット(11)の斜辺部(2a)を前記アーム部材(10)に固着すると共に、該コーナ庇パネルユニット(11)の先端と前記庇パネル(1)の先端を連結部材(12)で連結することにより、コーナ庇パネル(2)の荷重をアーム部材(10)と庇パネル(1)に支持させるように構成して成ることを特徴とする建物におけるコーナ庇構成体。
【請求項２】
前記アーム部材(10)は、中央に中空部(50)を形成すると共に左右に開口する保持溝(51,51)を設けた型材により構成され、前記中空部(50)に挿着したフレーム部材(56)をアーム部材(10)の基端から突出することにより固着部(56a)を構成し、該固着部(56a)をコーナ支持部材(6b)に固着し、前記保持溝(51)にコーナ庇パネルユニット(11)の斜辺部(2a)を嵌着して成ることを特徴とする請求項１に記載の建物におけるコーナ庇構成体。
【請求項３】
コーナ庇パネルユニット(11)は、庇パネル(1)と平行に配置される複数のコーナ庇パネル(2)を含んで全体がほぼ直角三角形に形成され、複数のコーナ庇パネル(2、2)にわたって形成された斜辺部(2a)を前記アーム部材(10)に固着すると共に、出隅コーナ部(C)から延設された吊り部材(5)の先端をアーム部材(10)に連結して成ることを特徴とする請求項１又は２に記載の建物におけるコーナ庇構成体。
【請求項４】
庇構成体(P)における庇パネル(1)の先端と、コーナ庇構成体(PC)におけるコーナ庇パネル(2)の先端にわたって、連結部材(12)を固着し、該連結部材(12)を介して鼻部材(3a)又は樋部材(3b)を構成する先端部材(3)を取付けて成ることを特徴とする請求項１、２又は３に記載の建物におけるコーナ庇構成体。
【発明の詳細な説明】
【技術分野】
【０００１】
本発明は、建物の外壁から屋外方向に延びると共に該外壁の横方向に列設される複数の庇パネルにより構成される庇構成体に対して、外壁の出隅コーナ部に位置して前記庇構成体に連続して設けられるコーナ庇構成体に関する。
【背景技術】
【０００２】
建物の外壁に取付けられる庇構成体は、庇パネルの配置態様により「横張り形式」と「縦張り形式」に分類される。
【０００３】
「横張り形式」の庇構成体は、図２２（Ａ）に示すように、長尺の庇パネルｐ１を建物の外壁に沿って横方向に延びるように配置することにより庇構成体Ｐ１が形成される。従って、庇パネルｐ１を外壁の出隅コーナ部Ｃ１に至るように延長することによりコーナ庇部ＰＣを形成することができる。庇パネルｐ１は、外壁に支持部材Ｓ１を介して固着されているので、庇パネルｐ１と一体に形成されたコーナ庇部ＰＣの荷重は支持部材Ｓにより支持される。
【０００４】
しかしながら、「横張り形式」の場合、工場で準備した庇パネルｐ１を現場に搬送する際、該庇パネルｐ１が庇構成体Ｐ1の長さに対応する長尺のものであるため、運搬が容易でない。また、複数の庇パネルｐ１、ｐ１を屋外方向に列設して連設することにより、庇構成体Ｐ１の出幅Ｗを大きくすることができるが、連設された庇パネルｐ１、ｐ１を支持するための梁部材Ｂを設ける必要がある。しかも、出幅Ｗは、庇パネルｐ１の幅寸法による制約を受けるので、自由な出幅寸法とした庇構成体Ｐ1を設計できないという問題がある。
【０００５】
これに対して、「縦張り形式」の庇構成体は、図２２（Ｂ）に示すように、建物の外壁から屋外方向に延びるように配置された多数の庇パネルｐ２を外壁の横方向に列設することにより庇構成体Ｐ２が形成される。従って、出幅Ｗに相当する比較的短尺の庇パネルｐ２を現場に搬送すれば良いので、運搬が容易となる。そして、庇パネルｐ２は、長尺のパネルを前記出幅Ｗに応じて切断することにより得られるので、自由な出幅寸法とした庇構成体Ｐ1を設計できるという利点がある。しかも、外壁から突出する庇構成体Ｐ２の出幅Ｗを大きくしても、「横張り形式」の場合のような梁部材Ｂを必要とせず有利である。
【０００６】
しかしながら、その反面、「縦張り形式」の場合、外壁の出隅コーナ部Ｃ２に庇パネルｐ２を配置しようとしても、それを支持することができないので、コーナ庇部ＰＣを形成することができないという問題がある。
【先行技術文献】
【特許文献】
【０００７】
【特許文献１】特開２００９−６８２６９号公報
【発明の概要】
【発明が解決しようとする課題】
【０００８】
建物の庇構成体は、上述の観点からすると、「横張り形式」の庇構成体よりも「縦張り形式」の庇構成体を採用することが望ましい。
【０００９】
このため、「縦張り形式」の庇構成体でありながら、外壁の出隅コーナ部にコーナ庇構成体を形成することが課題となる。
【００１０】
上述のように、「縦張り形式」の庇構成体は、建物の外壁から屋外方向に延びるように配置された多数の庇パネルを外壁の横方向に列設することにより庇構成体を形成するものであるから、全体の美観を保持するためには、該庇パネルと平行に配置されるコーナ庇パネルによりコーナ庇構成体を形成することが望ましい。
【００１１】
そこで、このようなコーナ庇パネルを外壁に支持するために、どのように構成すれば良いか、この点が課題となる。
【課題を解決するための手段】
【００１２】
本発明は、「縦張り形式」の庇構成体において、外壁の出隅コーナ部に設けられるコーナ庇構成体を提供するものであり、その手段として構成したところは、建物の外壁から屋外方向に延びると共に該外壁の横方向に列設される複数の庇パネルにより構成される庇構成体に対して、外壁の出隅コーナ部に位置して前記庇構成体に連続して設けられるコーナ庇構成体であり、出隅コーナ部に沿って固設されるコーナ支持部材と、該コーナ支持部材に固着された状態で出隅コーナ部が向かう屋外方向に延びるアーム部材と、前記庇構成体の端部に位置する庇パネルと前記アーム部材の間に介装されるコーナ庇パネルユニットを備え、該コーナ庇パネルユニットは、前記庇パネルと平行に配置されるコーナ庇パネルにより構成されると共に、前記アーム部材に沿う斜辺部を有するほぼ直角三角形に形成されており、前記コーナ庇パネルユニットの斜辺部を前記アーム部材に固着すると共に、該コーナ庇パネルユニットの先端と前記庇パネルの先端を連結部材で連結することにより、コーナ庇パネルの荷重をアーム部材と庇パネルに支持させるように構成して成る点にある。
【００１３】
本発明の実施形態において、前記アーム部材は、中央に中空部を形成すると共に左右に開口する保持溝を設けた型材により構成され、前記中空部に挿着したフレーム部材をアーム部材の基端から突出することにより固着部を構成し、該固着部をコーナ支持部材に固着し、前記保持溝にコーナ庇パネルユニットの斜辺部を嵌着している。
【００１４】
外壁から突出する庇構成体の出幅を大きくする場合は、同様にコーナ庇構成体の出幅も大きく形成され、この場合、コーナ庇パネルユニットは、庇パネルと平行に配置される複数のコーナ庇パネルを含んで全体がほぼ直角三角形に形成され、複数のコーナ庇パネルにわたって形成された斜辺部を前記アーム部材に固着すると共に、出隅コーナ部から延設された吊り部材の先端をアーム部材に連結される。
【００１５】
好ましい実施形態において、庇構成体における庇パネルの先端と、コーナ庇構成体におけるコーナ庇パネルの先端にわたって、連結部材を固着し、該連結部材を介して鼻部材又は樋部材を構成する先端部材が取付けられる。
【発明の効果】
【００１６】
請求項１に記載の本発明によれば、庇パネル１を「縦張り形式」とした庇構成体Ｐに対して、その「縦張り形式」の外観を連続させるようにコーナ庇パネル２を備えたコーナ庇構成体ＰＣを出隅コーナ部Ｃに設けることが可能となる。この際、コーナ庇構成体ＰＣは、コーナ支持部材６ｂに固着された状態で出隅コーナ部Ｃが向かう屋外方向に延びるアーム部材１０を設け、ほぼ直角三角形に形成されたコーナ庇パネルユニット１１の斜辺部２ａを該アーム部材１０に固着し、該コーナ庇パネルユニット１１の先端と庇パネル１の先端を連結部材１２で連結する構成であるから、該コーナ庇パネルユニット１１の荷重を前記アーム部材１０と庇パネル１に好適に支持させることができ、その結果、全体として風雨に耐える強固な庇構築物を提供できるという効果がある。
【００１７】
請求項２に記載の本発明によれば、アーム部材１０が型材により形成されているので安価に提供できる反面、中空部５０に挿着したフレーム部材５６により強固とされ、しかも、該フレーム部材５６の固着部５６ａをコーナ支持部材６ｂに固着する構成であるから、片持ち支持でありながら高い剛性を保持できる利点がある。そして、アーム部材１０の左右に開口する保持溝５１、５１を設けているので、該保持溝５１にコーナ庇パネルユニット１１の斜辺部２ａを嵌着することにより、コーナ庇構成体ＰＣの構築作業が容易であり、しかも、斜辺部２ａが保持溝５１の内部に隠されるので美的外観を維持できる。
【００１８】
請求項３に記載の本発明によれば、コーナ庇構成体ＰＣは、複数のコーナ庇パネル２を設けるだけで出幅Ｗを大きく形成することが可能であり、吊り部材５をアーム部材１０に連結することにより大型化されたコーナ庇構成体ＰＣの荷重を好適に支持することができる。この際、複数のコーナ庇パネル２、２は、コーナ庇パネルユニット１１を構成しているので、斜辺部２ａをアーム部材１０に固着する作業も容易である。
【００１９】
請求項４に記載の本発明によれば、上述のようにコーナ庇構成体ＰＣの荷重の一部を庇構成体Ｐに支持させる連結部材１２を利用することにより、鼻先部材３ａ又は樋部材３ｂを構成する先端部材１３を簡単容易に取付けることが可能となる。
【図面の簡単な説明】
【００２０】
【図１】本発明の１実施形態に関して鼻先部材を構成する先端部材を取付けた庇構築物を示す斜視図である。
【図２】本発明の１実施形態に関して樋部材を構成する先端部材を取付けた庇構築物を示す斜視図である。
【図３】本発明の１実施形態の構成部品を分解状態で示す斜視図である。
【図４】支持部材及び固定部材並びにコーナ支持部材及びコーナ固定部材を分解状態で示す斜視図である。
【図５】コーナ支持部材と添設金具及び支持金具を分解状態で示す斜視図である。
【図６】支持部材を外壁に取付ける際の状態を示す斜視図である。
【図７】Ｌ形に連結されたコーナ支持部材を出隅コーナ部に取付ける際の状態を示す斜視図である。
【図８】支持部材及びコーナ支持部材を外壁に取付けた状態を示す断面図であり、（Ａ）はアンカーナットにボルトを締着した例を示す断面図、（Ｂ）はアンカーボルトにナットを締着した状態を示す断面図である。
【図９】支持部材及びコーナ支持部材に対して庇パネルを固定部材及びコーナ固定部材により固着する際の状態を示す斜視図である。
【図１０】庇パネルを示す斜視図である。
【図１１】庇パネルの先端部を示す正面図であり、（Ａ）は庇パネルを単独で示す正面図、（Ｂ）は複数の接合された庇パネルを示す正面図である。
【図１２】外壁に庇パネルを取付固着した状態を示す斜視図である。
【図１３】外壁に庇パネルを取付固着した状態を示す断面図である。
【図１４】出隅コーナ部にコーナ庇構成体ＰＣを取付ける際の状態を示す斜視図である。
【図１５】アーム部材と吊り部材を分解状態で示す斜視図である。
【図１６】アーム部材を示しており、（Ａ）はアーム部材の１例を示す平面図、（Ｂ）はＡ−Ａ断面図、（Ｃ）はＢ−Ｂ断面図、（Ｄ）はＣ−Ｃ断面図、（Ｅ）はアーム部材の別の例を示す平面図である。
【図１７】アーム部材とコーナ庇パネルユニットの連結固着部を示す断面図であり、（Ａ）は１例を示す断面図、（Ｂ）は別の例を示す断面図、（Ｃ）は別の実施例に係るアーム部材にコーナ庇パネルユニットを連結固着した状態を示す断面図、（Ｄ）は更に別の実施例に係るアーム部材にコーナ庇パネルユニットを連結固着した状態を示す断面図である。
【図１８】庇構成体に連続してコーナ庇構成体（但し左半分を図示省略）を取付けた状態を示す斜視図である。
【図１９】上下カバー並びに連結部材及び先端部材を取付ける際の状態を示す斜視図である。
【図２０】上下カバー及びコーナ上下カバーを取付けた状態を示す断面図である。
【図２１】連結部材及び先端部材を示しており、（Ａ）は連結部材の断面図、（Ｂ）は先端部材の断面図、（Ｃ）は庇パネル及びコーナ庇パネルに連結部材を介して鼻先部材を取付けた状態を示す断面図、（Ｄ）は庇パネル及びコーナ庇パネルに連結部材を介して樋部材を取付けた状態を示す断面図である。
【図２２】本発明を理解するための参考例を示しており、（Ａ）は「横張り形式」の庇構成体を示す平面図、（Ｂ）は「縦張り形式」の庇構成体を示す平面図である。
【発明を実施するための形態】
【００２１】
以下図面に基づいて本発明の好ましい実施形態を詳述する。
【００２２】
図１及び図２は、建物の外壁Ｈ、Ｈが交差した出隅コーナ部Ｃを示し、外壁Ｈ、Ｈには、上述した「縦張り形式」の庇構成体Ｐ、Ｐが設けられ、庇構成体Ｐは、外壁Ｈから屋外方向に延びると共に該外壁Ｈの横方向（水平方向）に列設された多数の庇パネル１により構成されている。出隅コーナ部Ｃには、前記庇構成体Ｐに連続するコーナ庇構成体ＰＣが設けられ、コーナ庇構成体ＰＣは、庇構成体Ｐの「縦張り形式」の外観を連続させるように、前記庇パネル１と平行に配置されるコーナ庇パネル２により構成されている。庇構成体Ｐを構成する庇パネル１、１・・・の先端と、コーナ庇構成体ＰＣを構成するコーナ庇パネル２、２・・・の先端にわたって、先端部材３が取付けられており、図１に示す例では、先端部材３により鼻部材３ａを構成している。これに対して、図２に示す例では、前記先端部材３により樋部材３ｂを構成している。
【００２３】
図例の場合、外壁Ｈから突出する庇構成体Ｐ及びコーナ庇構成体ＰＣの出幅Ｗを大きく形成しており、外壁Ｈから延設された吊り部材４により庇構成体Ｐを吊持し、出隅コーナ部Ｃから延設された吊り部材５によりコーナ庇構成体ＰＣを吊持している。しかしながら、出幅Ｗが小さい場合は、このような吊り部材４、５を必要としない。
【００２４】
図３は、庇構成体Ｐとコーナ庇構成体ＰＣを構成する部品を分解状態で示している。庇構成体Ｐは、長尺の支持部材６ａと、短冊状の固定部材７ａと、それぞれ短冊状のコーナ支持部材６ｂ及びコーナ固定部材７ｂと、所定の出幅寸法となる長さに形成された多数の庇パネル１と、長尺の下カバー８ａ及び上カバー９ａと、それぞれほぼＬ形のコーナ下カバー８ｂ及びコーナ上カバー９ｂとから概ね構成されている。これに対して、コーナ庇構成体ＰＣは、アーム部材１０と、コーナ庇パネル２を備えたコーナ庇パネルユニット１１とから概ね構成されている。このような庇構成体Ｐ及びコーナ庇構成体ＰＣの構成部品に加えて、連結部材１２と、先端部材３と、Ｌ形先端部材１３が備えられている。図例の場合、連結部材１２及び先端部材３は、長尺部材により形成されているが、短尺部材を連結するように構成しても良い。
【００２５】
（支持部材及び固定部材）
図４に示すように、前記支持部材６ａと固定部材７ａ並びにコーナ支持部材６ｂとコーナ固定部材７ｂは、何れもアルミニウム等の金属により押出成形材された長尺部材を所定長さに切断することにより構成されている。
【００２６】
支持部材６ａは、長尺状に形成され、固定部材７ａは、隣り合う庇パネル１、１を固定するように短冊状に形成されている。図４及び図８に示すように、支持部材６ａは、外壁Ｈに添設される垂直壁１４と、該垂直壁１４から屋外方向に延設された支持壁１５を備え、該垂直壁１４及び支持壁１５のそれぞれに長手方向に間隔をあけて取付孔１４ａ、１５ａを開設している。この際、取付孔１４ａ、１５ａは、支持部材６ａの長手方向に延びる長孔を構成するのが好ましい。垂直壁１４の上端近傍には、屋外方向に張り出すリブ壁１６が形成され、垂直壁１４の上端には上向きに開口する受溝１７が形成されている。垂直壁１４の下端には後側係止縁１８が形成され、支持壁１５の前端には前側係止縁１９が形成されている。
【００２７】
これに対して、固定部材７ａは、外壁Ｈに添設される添設壁２０から屋外方向に延設された固定壁２１を備えている。添設壁２０は、上端から屋外方向に延びるリップ２２を形成し、添設壁２０の下端近傍部に前記受溝１７に嵌合自在な下リブ２３を形成している。固定壁２１は、前記下リブ２３を受溝１７に嵌合した状態で支持部材６ａの支持壁１５の上方を被うように構成されると共に、前記支持壁１５の取付孔１５ａに対応する固定孔２４を長手方向に間隔をあけて開設し、該固定孔２４を挟んで一対の上リブ２５を形成しており、該固定壁２１の前端に係止縁２６を形成している。尚、固定孔２４は、固定部材７ａの長手方向に延びる長孔を構成するのが好ましい。
【００２８】
コーナ支持部材６ｂとコーナ固定部材７ｂは、前記支持部材６ａと固定部材７ａを構成する押出成形材を所定寸法に切断することにより形成されており、従って、コーナ支持部材６ｂは、上記支持部材６ａと同じ断面形状及び構成部分を有し、コーナ固定部材７ｂは、上記固定部材７ａと同じ断面形状及び構成部分を有しているから、同一符号を示すことにより説明を省略し、相違する部分だけを説明する。
【００２９】
図４及び図５に示すように、一対のコーナ支持部材６ｂ、６ｂは、幅方向にほぼ４５度で斜め切りされた切断縁を相互に対向させ接合することにより全体としてほぼＬ形に連結されるように形成され、垂直壁１４、１４の屋外側の壁面にほぼＬ形に折曲された添設金具２７を添設し、支持壁１５、１５の下面に平面視Ｌ形の支持金具２９を添設することにより連結される。添設金具２７は、一対の翼片２７ａ、２７ａに貫設した固着孔２８ａを介して、コーナ支持部材６ｂ、６ｂの垂直壁１４にボルト・ナット等の固着手段２８で固着される（図７参照）。支持金具２９は、一対の翼片２９ａ、２９ａに貫設した固着孔３０ａを介して、コーナ支持部材６ｂ、６ｂの支持壁１５の下面にボルト・ナット等の固着手段３０で固着される（図７参照）。この際、支持金具２９のコーナ部分を貫通する通孔３１ａが形成され、相互に接合されるコーナ支持部材６ｂ、６ｂの支持壁１５、１５に跨がる通孔３１ｂが形成されており、支持金具２９を固着した状態で、相互に連通する前記通孔３１ａ、３１ｂにより支持孔３１が形成される（図７参照）。
【００３０】
このように、一対のコーナ支持部材６ｂ、６ｂは、工場において、添設金具２７及び支持金具２９を組付けて固着され、全体としてほぼＬ形に連結された状態で、庇の構築現場に搬入される。尚、本発明は、添設金具２７及び支持金具２９に限定されるものではなく、例えば、一対のコーナ支持部材６ｂ、６ｂは、溶接等で連結することにより、全体としてＬ形となるように構成しても良い。
【００３１】
支持部材６ａは、図６及び図９に示すように、外壁Ｈの所定位置に沿って垂直壁１４を当接することにより該外壁Ｈの横方向（水平方向）に添設され、固着手段３２により固着される。
【００３２】
コーナ支持部材６ｂ、６ｂは、前述のようにＬ形に連結された状態で現場に搬入され、図７及び図９に示すように、前記支持部材６ｂに連なるように出隅コーナ部Ｃに添設され、該コーナ支持部材６ｂ、６ｂの垂直壁１４を出隅コーナ部Ｃに位置する外壁に当接した状態で固着手段３２により固着される。
【００３３】
これにより、支持部材６ａ及び支持部材６ｂは、図８に示すように、支持壁１５を外壁Ｈから屋外方向に突出する。この際、支持壁１５の上面は、水平面Ｑ１よりも角度θだけ下り勾配を有する傾斜面Ｑ２を形成する。前記垂直壁１４の固着手段３２は、図８（Ａ）に示すように、外壁Ｈに埋設されたアンカーナット３２ａに対して、取付孔１４ａを介してボルト３２ｂを締着する構成としても良く、或いは、図８（Ｂ）に示すように、外壁Ｈに埋設されたアンカーボルト３２ｃを取付孔１４ａから挿出し、ナット３２ｄを締着する構成としても良い。
【００３４】
庇構成体Ｐは、図９に示すように、外壁Ｈに固着された支持部材６ａの支持壁１５に庇パネル１の基端部を搭載し、多数の庇パネル１を外壁Ｈから屋外方向に延びる姿勢で該外壁Ｈの横方向に列設することにより構築される。
【００３５】
庇パネル１は、図１０及び図１１に示すように、アルミニウム等の金属により押出成形された上下板部３３、３４を有する中空パネルを出幅Ｗに相当する長さに切断することにより構成され、ほぼ中央に位置して上下板部３３、３４を連結する一対の縦壁３５を備えると共に、該縦壁３５に筒状の被固着部３６を設けており、更に、両端近傍部に位置して上下板部３３、３４を連結する端部縦壁３７、３８を形成し、該端部縦壁３７、３８にも筒状の被固着部３６を設けており、一端縁部に挿入係止部３９を形成し、他端縁部に受入係止部４０を形成している。従って、隣接する一対の庇パネル１、１は、一方の庇パネル１の挿入係止部３９を他方の庇パネル１の受入係止部４０に嵌挿することにより、抜止め状に一体的に連結される。連結された複数の庇パネル１、１は、所定間隔Ｌ１で１組を構成する被固着部３６、３６が所定ピッチＬ２で等間隔に配置されるように構成されている。
【００３６】
庇パネル１の基端部には、支持部材６ａの取付孔１５ａに対応する通孔４１が設けられ、該基端部を支持部材６ａの支持壁１５に搭載した状態で、該基端部の上に固定部材７ａを重ね合わせ、ボルト４２及びナット４３から成る固着手段によりサンドイッチ状に固定される。図１３に示すように、庇パネル１は、基端部を支持壁１５に搭載し、リブ壁１６の下方に差し込むことにより、支持部材６ａに係止される。この状態で、固定部材７ａの下リブ２３を受溝１７に嵌合すると、固定壁２１が庇パネル１の基端部の上面に被せられる。支持壁１５の取付孔１５ａと、庇パネル１の通孔４１と、固定部材７ａの固定孔２４を連通させ、ボルト４２を挿入することにより、該ボルト４２の頭部を上リブ２５、２５の間に回動不能に嵌合させた状態で、該ボルト４２の挿出端にナット４３に螺着すれば、庇パネル１の基端部が支持壁１５と固定壁２１の間に挟着される。
【００３７】
図示実施形態の場合、図９及び図１０に示すように、出隅コーナ部Ｃに臨む庇パネル１（図示符号１Ｅ及び１Ｆ）は、コーナ支持部材６ｂに搭載されると共に、コーナ固定部材７ｂにより固定される。尚、図示実施形態の場合、長い固定部材７ａと短いコーナ固定部材７ｂを示しているが、両者を一体化したものを使用しても良い。
【００３８】
コーナ庇構成体ＰＣは、図１４に示すように、Ｌ形に結合されたコーナ支持部材６ｂ、６ｂのコーナ部分に固着されると共に出隅コーナ部Ｃが向かう屋外方向に延びるアーム部材１０と、前記庇構成体Ｐの末端に位置する庇パネル１と前記アーム部材１０の間に介装されるコーナ庇パネルユニット１１、１１を備えている。
【００３９】
コーナ庇パネルユニット１１は、庇パネル１と平行に配置されるコーナ庇パネル２により構成され、前記アーム部材１０に沿う斜辺部２ａを有するほぼ直角三角形に形成されている。コーナ庇パネル２は、前記庇パネル１と同一の中空パネルを切断することにより構成されており、図示実施形態の場合、複数のコーナ庇パネル２、２を平行に配置すると共に、隣接するコーナ庇パネル２、２を上述した挿入係止部３９と受入係止部４０（図１１参照）を介して連結することによりコーナ庇パネルユニット１１を構成し、斜辺部２ａに断面Ｌ形の連結金具４５を添設し、各コーナ庇パネル２の斜辺部２ａの近傍部に該連結金具４５をビス４６により固着している（図１７参照）。
【００４０】
このように、コーナ庇パネルユニット１１は、現場に搬入される前に、予め工場等で複数のコーナ庇パネル２、２を相互に連結すると共に連結金具４５で一体化することにより、アセンブリされたほぼ直角三角形の組立体を構成することが好ましいが、分解したコーナ庇パネル２、２と連結金具４５のコンポーネントから成るコーナ庇パネルユニット１１を現場に搬入し、現場でほぼ直角三角形にアセンブリしても良い。
【００４１】
アーム部材１０は、アルミニウム等の金属により押出成形された型材を出幅Ｗに相当して切断することにより構成され、図１５及び図１６に示すように、ほぼ中央に位置して上下板部４７、４８を連結する一対の縦壁４９、４９を設けることにより中空部５０を形成し、左右に開口する保持溝５１、５１を備えている。前記中空部５０の上部に位置して、一対の縦壁４９、４９からリブ５２が対向状に形成され、該リブ５２、５２により上板部４７の下側に偏平中空状のレール状空間５３を形成している。上板部４７は、端縁からやや内側寄りの位置から保持溝５１に向けて延びる下向きリブ５４を垂設することによりコーキング室５５を区成しており、更に、縦壁４９の上端外側及び下板部５０の先端内側には筒状の被固着部３６ａが形成されている。
【００４２】
図１６（Ａ）（Ｂ）に示すように、前記中空部５０には角パイプ状のフレーム部材５６が挿入され、縦壁４９から螺入されたビス５７により固着されている。フレーム部材５６は、アーム部材１０の基端から突出する固着部５６ａを備え、該固着部５６ａを上下に貫通する固着孔５８を形成している。図１６（Ａ）（Ｃ）（Ｄ）に示すように、レール状空間５３には固定板５９が挿入され、上板部４７から螺入されたビス６０により固着されている。固定板５９の下面にはナット６１が溶接等により固着され、前記リブ５２、５２の間に嵌挿されている。尚、ナット６１に対応する部位には、固定板５９及び上板部４７を貫通する通孔６２が開設されている。
【００４３】
アーム部材１０は、図１６（Ａ）に示すように、基端部１０ａにＶ形の切欠部を形成し、先端部１０ｂにＶ形の突片部を形成することにより、基端部１０ａをＬ形のコーナ支持部材６ｂ、６ｂに好適に添設させ、先端部１０ｂにＬ形先端部材１３を好適に添設させるように構成することが好ましいが、図１６（Ｅ）に示すように、基端部１０ａ及び先端部１０ｂをアーム部材１０に直交する直線状に切断したものとしても良い。
【００４４】
図示実施形態の場合、庇構成体Ｐ及びコーナ庇構成体ＰＣの出幅Ｗを比較的大きく構成しているため、前記ナット６１を固着した固定板５９により、出隅コーナ部Ｃから延設された吊り部材５の先端をアーム部材１０に好適に連結することができる。吊り部材５は、図１５に示すように、ターンバックル式のロッド６３の尾端に基端側ブラケット６４を回動自在に設けると共に、先端に先端側ブラケット６５を回動自在に設けており、基端側ブラケット６４を出隅コーナ部Ｃにボルト等で固着され、先端側ブラケット６５のボルト６６を前記通孔６２に挿入してナット６１に螺着される。尚、出幅Ｗが大きくない場合は、吊り部材５を必要としない。
【００４５】
図１７（Ａ）（Ｂ）に示すように、一対のコーナ庇パネルユニット１１、１１は、斜辺部２ａ、２ａをアーム部材１０の保持溝５１、５１に挿入され、上板部４７から各コーナ庇パネル２に対してビス６７を螺入することにより固着される。尚、ビス６７の螺入を容易にするため、上板部４７に予め下孔４７ａを形成することが好ましい。コーナ庇パネルユニット１１をアーム部材１０に固着した状態で、コーキング室５５にコーキング６８が充填される。図１７（Ａ）に示す例では、コーナ庇パネル２の下面に連結金具４５のＬ形片４５ａをビス４６で固着しており、上板部４７から螺入したビス６７をコーナ庇パネル２に螺入している。これに対して、図１７（Ｂ）に示す例では、コーナ庇パネル２の上面に連結金具４５のＬ形片４５ａをビス４６で固着しており、上板部４７から螺入したビス６７を該Ｌ形片４５ａを貫通してコーナ庇パネル２に螺入している。
【００４６】
図１７（Ｃ）は、アーム部材１０の別の実施例を示しており、アーム部材１０は、幅方向に分割された一対の分割アーム１０Ａ、１０Ｂにより構成されている。分割アーム１０Ａ、１０Ｂは、それぞれの保持溝５１、５１にコーナ庇パネルユニット１１、１１の斜辺部２ａ、２ａを挿入すると共に固着するように構成されており、一対の分割アーム１０Ａ、１０Ｂの溝状中空部５０ａ、５０ｂを対向させた状態で相互に固着することにより、全体として１本のアーム部材１０を構成する。図例の場合、前記中空部５０ａ、５０ｂに挿入されたフレーム部材５６に対して分割アーム１０Ａ、１０Ｂをビス５７ａで螺着し、或いは、分割アーム１０Ａ、１０Ｂに重ね合わせて架設された化粧板１０ｃを分割アーム１０Ａ、１０Ｂにビス６７で固着することにより、一対の分割アーム１０Ａ、１０Ｂを固着しているが、その固着手段は図例の構成に限らない。
【００４７】
図１７（Ｄ）は、アーム部材１０の更に別の実施例を示しており、アーム部材１０は、上下方向に分割された一対の分割アーム１０Ｄ、１０Ｅにより構成されている。基本的には、図１７（Ａ）（Ｂ）に示したアーム部材１０の上板部４７を上側の分割アーム１０Ｅとして分離し、残存部分を下側の分割アーム１０Ｄとした構成とされている。下側の分割アーム１０Ｄは、左右の保持溝５１、５１にコーナ庇パネルユニット１１、１１の斜辺部２ａ、２ａを挿入すると共に、中空部５０にフレーム部材５６を挿入しビス５７で固着しており、該下側の分割アーム１０Ｄの上に上側の分割アーム１０Ｅを重ね合わせ、ビス５７ｂによりフレーム部材５６に固着すると共に、ビス６７、６７でコーナ庇パネルユニット１１、１１を固着するように構成している。これにより、上下の分割アーム１０Ｄ、１０Ｅは、フレーム部材５６を介して相互に結合固着される。
【００４８】
このようにしてコーナ庇パネルユニット１１、１１をアーム部材１０に結合することによりユニット体を構成するコーナ庇構成体ＰＣは、図１８に示すように、出隅コーナ部Ｃに取付けられる。出隅コーナ部Ｃに固着されたコーナ支持部材６ｂ、６ｂの支持壁１５、１５の接合部分に対して、アーム部材１０の基端から突出したフレーム部材５６の固着部５６ａを搭載し、支持孔３１と固着孔５８を介してボルト６９ａ及びナット６９ｂから成る固着手段６９により固着する。支持壁１５、１５の接合部分は、Ｌ形の支持金具２９により補強されているので、フレーム部材５６の固着部５６ａを強固に固着することができる。この際、庇構成体Ｐとコーナ庇構成体ＰＣの間で隣接する庇パネル１（図示符号１Ｅ）とコーナ庇パネル２（図示符号２Ｅ）は、相互に挿入係止部３９と受入係止部４０を介して連結される。この状態で、庇構成体Ｐの庇パネル１と、コーナ庇構成体ＰＣのコーナ庇パネル２の先端が図示のように１直線上に整列される。
【００４９】
その後、図１９に示すように、庇構成体Ｐとコーナ庇構成体ＰＣの基端部には、下カバー８ａ及びコーナ下カバー８ｂと、上カバー９ａ及びコーナ上カバー９ｂが装着され、先端部には、連結部材１２を介して先端部材３及びＬ形先端部材１３が装着される。
【００５０】
図２０に示すように、下カバー８ａは、支持部材６ａ及びコーナ支持部材６ｂの下面を被うように構成されており、後端係止部７０と前端係止部７１をそれぞれ支持部材６ａ及びコーナ支持部材６ｂの後側係止縁１８と前側係止縁１９に係止嵌着される。
【００５１】
上カバー９ａは、固定部材７ａ及びコーナ固定部材７ｂの上面を被うように構成されており、後端縁に外壁Ｈとの間でコーキング室７２を形成する断面Ｌ形片７３を備えると共に、前端縁に庇パネル１の上板部との間でコーキング室７４を形成する断面逆Ｌ形片７５を備え、該断面逆Ｌ形片７５の先端に係止部７６を備えている。そこで、前記係止部７６を固定部材７ａ及びコーナ固定部材７ｂの係止縁２６に係止させた状態で、断面Ｌ形片７３を固定部材７ａ及びコーナ固定部材７ｂのリップ２２に載置すると共にビス７７で固着される。その後、前記コーキング室７２、７４にコーキング７８、７９が充填される。
【００５２】
連結部材１２は、図例の場合、アルミニウム等の金属により押出成形された剛性を有する長尺の型材により構成され、図２１（Ａ）に示すように、庇パネル１及びコーナ庇パネル２の先端に沿って被固着部３６に当接される当接部８０を有し、該当接部８０から庇パネル１及びコーナ庇パネル２の上面とほぼ面一になる位置まで上方に延びる上辺部８１を形成すると共に、該上辺部８１の僅か下方位置から前方に延びるリップ片８２を備え、該当接部８０から前方に傾斜して下方に延びる下辺部８３を形成している。
【００５３】
連結部材１２の当接部８０は、図１９に示すように、上述した庇パネル１及びコーナ庇パネル２の被固着部３６に対応する通孔８４が形成されており、各通孔８４から挿入したビス８５を被固着部３６に螺入することにより固着され、これにより列設された庇パネル１及びコーナ庇パネル２を相互に連結する。
【００５４】
先端部材３及びＬ形先端部材１３は、図２１（Ｂ）（Ｃ）に示す鼻先部材３ａ又は図２１（Ｄ）に示す樋部材３ｂを構成する。鼻先部材３ａは、連結部材１２のリップ片８２及び下辺部８３を被うように当接される基板部８６を有し、該基板部８６の上下端部から屋外方向に延設された箱形部８７を形成すると共に、基板部８６の上端部から延設されて前記リップ片８２に載置される固着片８８と、基板部８６の下端部から延設されて庇パネル１及びコーナ庇パネル２の先端部を下方から被う顎部８９を形成している。これに対して、樋部材３ｂは、前記箱形部８７の上部に開口部９０を形成した他は前述した鼻先部材３ａと同様であるから、同一構成部分を同一符号で示すことにより、説明を省略する。
【００５５】
そこで、鼻先部材３ａ又は樋部材３ｂを構成する先端部材３及びＬ形先端部材１３は、固着片８８を連結部材１２のリップ片８２に載置した状態でビス９１を螺入することにより固着される。尚、図示のように、基板部８６から突出する突片９２を連結部材１２の下辺部８３に嵌合するように構成することができる。
【００５６】
尚、図示実施形態は、連結部材１２と先端部材３を別々の部材により構成したものを示しているが、両者を一体に形成して良い。例えば、庇パネル１とコーナ庇パネル２に跨がって先端部材３を直接に取付けることにより、該先端部材３がコーナ庇パネルユニット１１の先端と庇パネル１の先端を連結する連結部材１２を兼用するように構成しても良い。
【００５７】
上記のように「縦張り形式」の庇構成体Ｐを構成する庇パネル１は、支持部材６ａ及びコーナ支持部材６ｂにより、強固に固定支持される。これに対して、コーナ庇構成体ＰＣを構成するコーナ庇パネル２は、コーナ支持部材６ｂに直接に支持されないが、該コーナ支持部材６ｂに固着されたアーム部材１０にコーナ庇パネルユニット１１の斜辺部２ａを固着する構成であるから、該アーム部材１０を介してコーナ支持部材６ｂに固定支持され、更に、連結部材１２によりコーナ庇パネルユニット１１の先端部を前記庇パネル１の先端部に連結される構成であるから、該コーナ庇構成体ＰＣの全体の荷重をコーナ支持部材６ｂと庇構成体Ｐに担持させることができ、その結果、全体として風雨に耐える強固な庇構築物が提供される。
【符号の説明】
【００５８】
Ｈ  外壁
Ｃ  出隅コーナ部
Ｐ  庇構成体
ＰＣ  コーナ庇構成体
Ｗ  出幅
１  庇パネル
２  コーナ庇パネル
２ａ  斜辺部
３  先端部材
４、５  吊り部材
６ａ  支持部材
６ｂ  コーナ支持部材
７ａ  固定部材
７ｂ  コーナ固定部材
１０  アーム部材
１１  コーナ庇パネルユニット
１２  連結部材
１３  Ｌ形先端部材
１４  垂直壁
１５  支持壁
２０  添設壁
２１  固定壁
２７  添設金具
２９  支持金具
３９  挿入係止部
４０  受入係止部
４５  連結金具
５０  中空部
５１  保持溝
５６  フレーム部材
５６ａ  固着部
５８  固着孔
【図１】
2010261208.tif 000003
【図２】
2010261208.tif 000004
【図３】
2010261208.tif 000005
【図４】
2010261208.tif 000006
【図５】
2010261208.tif 000007
【図６】
2010261208.tif 000008
【図７】
2010261208.tif 000009
【図８】
2010261208.tif 000010
【図９】
2010261208.tif 000011
【図１０】
2010261208.tif 000012
【図１１】
2010261208.tif 000013
【図１２】
2010261208.tif 000014
【図１３】
2010261208.tif 000015
【図１４】
2010261208.tif 000016
【図１５】
2010261208.tif 000017
【図１６】
2010261208.tif 000018
【図１７】
2010261208.tif 000019
【図１８】
2010261208.tif 000020
【図１９】
2010261208.tif 000021
【図２０】
2010261208.tif 000022
【図２１】
2010261208.tif 000023
【図２２】
2010261208.tif 000024